(57)【要約】      （修正有）【課題】着衣の上から装着可能な新規な巻きスカートを提供することにある。【解決手段】巻きスカート１０は、巻きスカート本体２０に設けられた第１結び紐３０および第３結び紐３２と、第３結び紐３２寄りに設けられて第１結び紐３０と結ばれる第２結び紐３１と、巻き第１結び紐３０と第２結び紐３１の間に設けられて第３結び紐３２と結ばれる第４結び紐３３とを備えた。また、巻きスカート本体２０の内側にパイル状の梳毛５０を備えた。【選択図】図３
0003152174.tif 000002
【実用新案登録請求の範囲】
【請求項１】
着衣の上から装着可能な巻きスカートであって、
巻きスカート本体の上辺両端部に設けられた第１結び紐および第３結び紐と、
巻きスカート本体の上辺の第３結び紐寄りに設けられて第１結び紐と結ばれる第２結び紐と、
巻きスカート本体の上辺の第１結び紐と第２結び紐の間に設けられて第３結び紐と結ばれる第４結び紐とを備えたことを特徴とする巻きスカート。
【請求項２】
巻きスカート本体の内側には、毛足のあるパイル生地又は毛布生地を備えたことを特徴とする請求項１記載の巻きスカート。
【請求項３】
巻きスカート本体の外側には、ポケットを備えたことを特徴とする請求項１又は２記載の巻きスカート。
【考案の詳細な説明】
【技術分野】
【０００１】
本願考案は、着衣の上から装着可能な巻きスカートに関するものである。
【背景技術】
【０００２】
着衣の上から装着可能な巻きスカートとしては、例えば、以下に示す特許文献１などがある。特許文献１は、妊娠などによって体型の変化が生じても、通常のパンツ、スラックスやスカート等の下衣を無理なく着用できるようにした重ね着用巻きスカートの提供を図ることを目的としたものである。具体的には、巻きスカートの一端側に、下衣ａのファスナｂを挟んだ一方側身頃ｃのボタンホールｅに対する第１係止部２１と、他方側身頃ｄに対する第２係止部２２とを、間隔を隔てて設けるとともに、下衣ａのファスナｂを開いた状態で、第１係止部２１と第２係止部２２とをそれぞれ係止し、巻きスカートを下衣ａの外側に巻き付けて着用する（符号は、特許文献１の図面のもの）。
【先行技術文献】
【特許文献】
【０００３】
【特許文献１】特開２００８−４５２５１号公報
【考案の開示】
【考案が解決しようとする課題】
【０００４】
上記した特許文献１に記載の巻きスカートは、妊娠初期など体型の変化した女性が着用するのに最適な巻きスカートとして発明されているが、本願考案者は、以下の目的を達成できるような巻きスカートを提供すべく、本願考案を完成するに至った。
（１）着脱や調整が容易であるとともに、ずれたり落ちたりしにくく体の動きを邪魔しないこと（扱いやすさ）。
（２）暖かさ・やわらかさを備えていること（着け心地の良さ）。
（３）洗濯機で洗濯できること（清潔さ）。
（４）様々な生活シーンに使用できること（ファッション性）
【課題を解決するための手段】
【０００５】
本願考案に係る第１の考案は、着衣の上から装着可能な巻きスカートであって、巻きスカート本体の上辺両端部に設けられた第１結び紐および第３結び紐と、巻きスカート本体の上辺の第３結び紐寄りに設けられて第１結び紐と結ばれる第２結び紐と、巻きスカート本体の上辺の第１結び紐と第２結び紐の間に設けられて第３結び紐と結ばれる第４結び紐とを備えたことを特徴とするものである。
第２の考案は、巻きスカート本体の内側には、毛足のあるパイル生地又は毛布生地を備えたことを特徴とする同巻きスカートである。
第３の考案は、巻きスカート本体の外側には、ポケットを備えたことを特徴とする同巻きスカートである。
【考案の効果】
【０００６】
本願考案によれば、以下のような効果を有する。
（１）巻きスカート本体に設けられた第１結び紐と第２結び紐を結び、次に、第３結び紐と第４結び紐を結ぶことで、簡単に着衣の上から巻きスカートを着脱できる。また、結び紐を長めにすることで、サイズの調整が容易に行える。さらに、４本の結び紐で２箇所結ぶことで、ずれたり落ちたりしにくく体の動きを邪魔することがない。
（２）巻きスカート本体の内側に毛足のあるパイル生地又は毛布生地を備えることで、下半身を暖かく、柔らかく包むことができる。また、保湿性があり、チクチク感がないので、手触りも良い。
（３）巻きスカート本体の外側にポケットを備えることで、利便性が高い。
（４）特に洗濯機による洗濯が不可能な材質を使わずに手軽に丸洗いできるので、常に清潔な状態で使用できる。
（５）スタイリッシュな仕上げになっているので、台所仕事を始めとする家事全般、室内だけでなく、ガーデニングや犬の散歩、買い物、オフィスなど様々な生活シーンに使用できる。
【図面の簡単な説明】
【０００７】
【図１】本願考案に係る巻きスカートの表側を示す説明図。
【図２】本願考案に係る巻きスカートの裏側を示す説明図。
【図３】本願考案に係る巻きスカートの使用状態を示す説明図。
【考案を実施するための形態】
【０００８】
本考案の実施形態を図面に基づいて説明する。
図１および図２は、本願考案に係る巻きスカートの表側と裏側を示す説明図である。
図１は、本願考案に係る巻きスカートの表側（巻きスカート本体の外側）を示している。巻きスカート１０は、帯状の巻きスカート本体２０に４本の結び紐３０〜３３を備えるとともに、ポケット４０を備えている。
【０００９】
４本の結び紐は、まず、巻きスカート本体２０の上辺両端部２２，２３に設けられた第１結び紐３０および第３結び紐３２がある。そして、巻きスカート本体２０の上辺２１の第３結び紐３２寄りに設けられて第１結び紐３０と結ばれる第２結び紐３１がある。また、巻きスカート本体２０の上辺２１の第１結び紐３０と第２結び紐３１の間に設けられて第３結び紐３２と結ばれる第４結び紐３３がある。これら、４本の結び紐３０〜３３を長めのものにすることで、巻きスカート１０のサイズを調整しやすくできる。
【００１０】
図２は、本願考案に係る巻きスカートの裏側（巻きスカート本体の内側）を示している。巻きスカート本体２０の内側には毛足のあるパイル生地又は毛布生地としてパイル状の梳毛５０を備えている。この梳毛５０は、毛足の長さが約３ｃｍ程度の長い毛足のものを使用しているので、巻きスカート１０に「暖かさ」と「やわらかさ」を提供している。また、梳毛５０は、原料を糸にせず、そのまま編み込むスライバーニット製法を採用しているので、原料の良さを引き立てることができる。
【００１１】
図３は、本願考案に係る巻きスカートの使用状態を示す説明図である。まず、梳毛５０の部分が腰やヒップに当たるように巻きスカート１０を巻き付けて、第１結び紐３０と第２結び紐３１を結ぶ（図３左図）。その後、残った第３結び紐３２と第４結び紐３３を結ぶことで、巻きスカート１０の装着を完了する（図３右図）。このように、極めて簡単な方法で巻きスカート１０は装着できる一方で、簡単にずれたり落ちたりすることがないので、作業性に優れている。
【産業上の利用可能性】
【００１２】
本願考案の巻きスカートは、着衣の上から装着可能な巻きスカート（或いは腰巻き）として幅広く利用されるものである。
【符号の説明】
【００１３】
１０  巻きスカート
２０  巻きスカート本体    ２１  上辺    ２２，２３  上辺端部
３０  第１結び紐
３１  第２結び紐
３２  第３結び紐
３３  第４結び紐
４０  ポケット
５０  梳毛
【図１】
0003152174.tif 000003
【図２】
0003152174.tif 000004
【図３】
0003152174.tif 000005